(57)【要約】【課題】ゴーグル用バンドが装着者の顔面に密着することによるゴーグル使用時のフィット感が高く、ヘルメットを装着した状態でのゴーグルの脱着が容易なヘルメットを提供すること。【解決手段】帽体１１と、帽体１１内に装着される内装１２と、内装１２よりも更に頭部側に配置されるハンモック１３と、帽体１１の両側部から装着者側に延出させたあご紐１５とを有し、帽体１１の後頭部側内面に、一対の保持部材３０を設け、それぞれの保持部材３０には、バンド用開口３１が形成され、バンド用開口３１に、ゴーグル用バンド２２を挿通することで、ゴーグル２０を装着することを特徴とする。【選択図】        図１
2014221947.tif 000002
【特許請求の範囲】
【請求項１】
帽体と、前記帽体内に装着される内装と、前記内装よりも更に頭部側に配置されるハンモックと、前記帽体の両側部から装着者側に延出させたあご紐とを有するヘルメットであって、
前記帽体の後頭部側内面に、一対の保持部材を設け、
それぞれの前記保持部材には、バンド用開口が形成され、
前記バンド用開口に、ゴーグル用バンドを挿通することで、ゴーグルを装着することを特徴とするヘルメット。
【請求項２】
前記帽体の内面には、凸状係合部が形成され、
前記保持部材には、係合用開口が形成され、
前記係合用開口に、前記凸状係合部を係合することで、前記保持部材を前記帽体の前記後頭部側内面に装着することを特徴とする請求項１に記載のヘルメット。
【請求項３】
前記保持部材には、あご紐用開口が形成され、
前記あご紐用開口に、前記あご紐の端部を装着することで、前記あご紐を前記帽体の前記後頭部側内面に装着することを特徴とする請求項１又は請求項２に記載のヘルメット。
【請求項４】
前記バンド用開口を、前記ゴーグル用バンドの幅よりも長い長孔で形成したことを特徴とする請求項１から請求項３のいずれかに記載のヘルメット。
【請求項５】
前記係合用開口を長孔で形成したことを特徴とする請求項１から請求項４のいずれかに記載のヘルメット。
【請求項６】
前記バンド用開口を第１のバンド用開口と第２のバンド用開口とで構成し、
前記第１のバンド用開口の一端と、前記第２のバンド用開口の一端とを連接孔でつないだことを特徴とする請求項１から請求項５のいずれかに記載のヘルメット。
【請求項７】
前記保持部材に舌部を形成し、前記舌部を折り畳むことで、前記舌部が前記連接孔に重なることを特徴とする請求項６に記載のヘルメット。
【請求項８】
前記帽体の内面に、前記保持部材を形成したことを特徴とする請求項１に記載のヘルメット。
【請求項９】
前記保持部材を第１の保持部材と第２の保持部材とで構成し、
前記第１の保持部材に第１のバンド用開口を形成し、
前記第２の保持部材に第２のバンド用開口を形成したことを特徴とする請求項８に記載のヘルメット。
【請求項１０】
前記第１のバンド用開口の端部に、前記第１の保持部材の端部に繋がる第１のスリットを形成し、
前記第２のバンド用開口の端部に、前記第２の保持部材の端部に繋がる第２のスリットを形成したことを特徴とする請求項９に記載のヘルメット。
【発明の詳細な説明】
【技術分野】
【０００１】
本発明は、ゴーグルを装着可能なヘルメットに関する。
【背景技術】
【０００２】
ヘルメットを使用する現場によっては、例えば粉塵などの影響から眼を守るためにゴーグルを使用することがある。
特許文献１では、使用時の装着操作が容易なゴーグル付きヘルメットを提案している。
このゴーグル付きヘルメットは、作業用ヘルメットと両側端部にそれぞれ弾性バンドの一端が付設されたゴーグルとからなる。作業用ヘルメットの帽体外面の両側部に２つの係止部が対称に設けられ、弾性バンドの他端部分は、係止部にそれぞれ係止されるものである。
図１１にヘルメットとゴーグルとを同時装着した状態のヘルメットの底面図を示す。
ヘルメット１１０は、帽体１１１と、この帽体１１１の内部に設けられた衝撃吸収用の内装と、この内装よりも更に頭部側に配置されるハンモックと、装着者の頭部周囲を囲繞するヘッドバンド１１４と、帽体１１１の両側部から装着者側に延出させたあご紐とを備えている。
ヘルメット１１０に装着するゴーグル１２０は、めがね部１２１とゴーグル用バンド１２２とからなる。ゴーグル用バンド１２２の一端はめがね部１２１の一端に、ゴーグル用バンド１２２の他端はめがね部１２１の他端に設けている。
図１１に示すように、ゴーグルバンド１２２は、帽体１１１の外面に沿わせるため、めがね部１２１を顔面に押し付けるだけで、装着者の顔面から離れてしまう。
特許文献１では、作業用ヘルメットの帽体外面に弾性バンドを取り付けるものではあるが、弾性バンドは、ゴーグルを顔面に押し付けるだけで、装着者の顔面から離れてしまう点においては図１１に示す状態と変わらない。
【先行技術文献】
【特許文献】
【０００３】
【特許文献１】特開２０００−２３９９１６号公報
【発明の開示】
【発明が解決しようとする課題】
【０００４】
このように、帽体外面に弾性バンドを配置すると、弾性バンドが装着者の顔面から離れてしまい、ゴーグルのフィット感が失われるため、好ましくない。
【０００５】
そこで本発明は、ゴーグル用バンドが装着者の顔面に密着することによるゴーグル使用時のフィット感が高く、ヘルメットを装着した状態でのゴーグルの脱着が容易なヘルメットを提供することを目的とする。
【課題を解決するための手段】
【０００６】
請求項１記載の本発明のヘルメットは、帽体と、前記帽体内に装着される内装と、前記内装よりも更に頭部側に配置されるハンモックと、前記帽体の両側部から装着者側に延出させたあご紐とを有するヘルメットであって、前記帽体の後頭部側内面に、一対の保持部材を設け、それぞれの前記保持部材には、バンド用開口が形成され、前記バンド用開口に、ゴーグル用バンドを挿通することで、ゴーグルを装着することを特徴とする。
請求項２記載の本発明は、請求項１に記載のヘルメットにおいて、前記帽体の内面には、凸状係合部が形成され、前記保持部材には、係合用開口が形成され、前記係合用開口に、前記凸状係合部を係合することで、前記保持部材を前記帽体の前記後頭部側内面に装着することを特徴とする。
請求項３記載の本発明は、請求項１又は請求項２に記載のヘルメットにおいて、前記保持部材には、あご紐用開口が形成され、前記あご紐用開口に、前記あご紐の端部を装着することで、前記あご紐を前記帽体の前記後頭部側内面に装着することを特徴とする。
請求項４記載の本発明は、請求項１から請求項３のいずれかに記載のヘルメットにおいて、前記バンド用開口を、前記ゴーグル用バンドの幅よりも長い長孔で形成したことを特徴とする。
請求項５記載の本発明は、請求項１から請求項４のいずれかに記載のヘルメットにおいて、前記係合用開口を長孔で形成したことを特徴とする。
請求項６記載の本発明は、請求項１から請求項５のいずれかに記載のヘルメットにおいて、前記バンド用開口を第１のバンド用開口と第２のバンド用開口とで構成し、前記第１のバンド用開口の一端と、前記第２のバンド用開口の一端とを連接孔でつないだことを特徴とする。
請求項７記載の本発明は、請求項６に記載のヘルメットにおいて、前記保持部材に舌部を形成し、前記舌部を折り畳むことで、前記舌部が前記連接孔に重なることを特徴とする。
請求項８記載の本発明は、請求項１に記載のヘルメットにおいて、前記帽体の内面に、前記保持部材を形成したことを特徴とする。
請求項９記載の本発明は、請求項８に記載のヘルメットにおいて、前記保持部材を第１の保持部材と第２の保持部材とで構成し、前記第１の保持部材に第１のバンド用開口を形成し、前記第２の保持部材に第２のバンド用開口を形成したことを特徴とする。
請求項１０記載の本発明は、請求項９に記載のヘルメットにおいて、前記第１のバンド用開口の端部に、前記第１の保持部材の端部に繋がる第１のスリットを形成し、前記第２のバンド用開口の端部に、前記第２の保持部材の端部に繋がる第２のスリットを形成したことを特徴とする。
【発明の効果】
【０００７】
本発明によれば、保持部材からめがね部に至るゴーグル用バンドが装着者の顔面に密着するため、ゴーグル使用時のフィット感が高く、ヘルメットを装着した状態でのゴーグルの脱着が容易である。
【図面の簡単な説明】
【０００８】
【図１】本発明の一実施例によるヘルメットの内部構造図
【図２】同ヘルメットの底面図
【図３】本発明の他の実施例によるヘルメットの保持部材を示す斜視図
【図４】同保持部材にゴーグル用バンドを取り付けて帽体に装着した状態を示す斜視図
【図５】本発明の更に他の実施例によるヘルメットの保持部材を示す斜視図
【図６】本発明の更に他の実施例によるヘルメットの保持部材を示す斜視図
【図７】同保持部材にゴーグル用バンドを取り付けて帽体に装着した状態を示す斜視図
【図８】本発明の更に他の実施例によるヘルメットの保持部材を示す斜視図
【図９】本発明の更に他の実施例によるヘルメットの保持部材を示す斜視図
【図１０】本発明の更に他の実施例によるヘルメットの保持部材を示す斜視図
【図１１】従来のヘルメットとゴーグルとを同時装着した状態を示すヘルメットの底面図
【発明を実施するための形態】
【０００９】
本発明の第１の実施の形態によるヘルメットは、帽体の後頭部側内面に、一対の保持部材を設け、それぞれの保持部材には、バンド用開口が形成され、バンド用開口に、ゴーグル用バンドを挿通することで、ゴーグルを装着するものである。本実施の形態によれば、ゴーグル用バンドを帽体の後頭部側内面に設けた一対の保持部材によって装着でき、その結果として保持部材からめがね部に至るゴーグル用バンドが装着者の顔面に密着するため、ゴーグル使用時のフィット感が高く、めがね部と保持部材との間を長くできることで、ゴーグル用バンドの自由度が高いため、ヘルメットを装着した状態でのゴーグルの脱着が容易である。
【００１０】
本発明の第２の実施の形態は、第１の実施の形態によるヘルメットにおいて、帽体の内面には、凸状係合部が形成され、保持部材には、係合用開口が形成され、係合用開口に、凸状係合部を係合することで、保持部材を帽体の後頭部側内面に装着するものである。本実施の形態によれば、保持部材を帽体に対して脱着できるため、ゴーグル使用時に保持部材を用いてゴーグルを装着することができる。
【００１１】
本発明の第３の実施の形態は、第１又は第２の実施の形態によるヘルメットにおいて、保持部材には、あご紐用開口が形成され、あご紐用開口に、あご紐の端部を装着することで、あご紐を帽体の後頭部側内面に装着するものである。本実施の形態によれば、保持部材をあご紐の装着に用いることができる。
【００１２】
本発明の第４の実施の形態は、第１から第３の実施の形態によるヘルメットにおいて、バンド用開口をゴーグル用バンドの幅よりも長い長孔で形成したものである。本実施の形態によれば、長孔によってゴーグル用バンドが保持部材に対して角度を持って装着できるため、装着時のフィット感が高く、ヘルメットを装着した状態でのゴーグルの脱着が容易である。
【００１３】
本発明の第５の実施の形態は、第１から第４の実施の形態によるヘルメットにおいて、係合用開口を長孔で形成したものである。本実施の形態によれば、凸状係合部の位置の異なるヘルメットにも対応できる。
【００１４】
本発明の第６の実施の形態は、第１から第５の実施の形態によるヘルメットにおいて、バンド用開口を第１のバンド用開口と第２のバンド用開口とで構成し、第１のバンド用開口の一端と、第２のバンド用開口の一端とを連接孔でつないだものである。本実施の形態によれば、ゴーグル用バンドの装着を容易に行うことができる。
【００１５】
本発明の第７の実施の形態は、第６の実施の形態によるヘルメットにおいて、保持部材に舌部を形成し、前記舌部を折り畳むことで、前記舌部が前記連接孔に重なるものである。本実施の形態によれば、ゴーグル用バンドの保持部材からの離脱を防止することができる。
【００１６】
本発明の第８の実施の形態は、第１の実施の形態によるヘルメットにおいて、帽体の内面に、保持部材を形成したものである。本実施の形態によれば、保持部材を帽体と一体成形で製作することができる。
【００１７】
本発明の第９の実施の形態は、第８の実施の形態によるヘルメットにおいて、保持部材を第１の保持部材と第２の保持部材とで構成し、第１の保持部材に第１のバンド用開口を形成し、第２の保持部材に第２のバンド用開口を形成したものである。本実施の形態によれば、帽体へのゴーグル用バンドの装着性を高めることができる。
【００１８】
本発明の第１０の実施の形態は、第９の実施の形態によるヘルメットにおいて、第１のバンド用開口の端部に、第１の保持部材の端部に繋がる第１のスリットを形成し、第２のバンド用開口の端部に、第２の保持部材の端部に繋がる第２のスリットを形成したものである。本実施の形態によれば、ゴーグル用バンドの装着を容易に行うことができる。
【実施例】
【００１９】
以下本発明の実施例について図面とともに詳細に説明する。
図１は本発明の第１の実施例によるヘルメットの内部構造図、図２は同ヘルメットの底面図である。
ヘルメット１０は、帽体１１と、この帽体１１の内部に設けられた衝撃吸収用の内装１２と、この内装１２よりも更に頭部側に配置されるハンモック１３と、装着者の頭部周囲を囲繞するヘッドバンド１４と、帽体１１の両側部から装着者側に延出させたあご紐１５とを備えている。ヘッドバンド１４には、装着者の頭部に合わせて変更できるサイズ調整機能を備えており、このサイズ調整機能は、頭部側に配置されていることが好ましい。
ヘルメット１０に装着するゴーグル２０は、めがね部２１とゴーグル用バンド２２とからなる。ゴーグル用バンド２２の一端はめがね部２１の一端に、ゴーグル用バンド２２の他端はめがね部２１の他端に設けている。
【００２０】
ヘルメット１０は、帽体１１の後頭部側内面に、一対の保持部材３０を設けている。
それぞれの保持部材３０には、バンド用開口３１が形成され、バンド用開口３１に、ゴーグル用バンド２２を挿通することで、ゴーグル２０を装着する。
バンド用開口３１は、ゴーグル用バンド２２の幅よりも長い長孔で形成している。バンド用開口３１を長孔とすることで、ゴーグル用バンド２２が保持部材３０に対して角度を持って装着できるため、装着時のフィット感が高く、ヘルメット１０を装着した状態でのゴーグル２０の脱着が容易である。
バンド用開口３１は、第１のバンド用開口３１ａと第２のバンド用開口３１ｂとで構成している。第１のバンド用開口３１ａと第２のバンド用開口３１ｂとは平行に形成している。
【００２１】
本実施例では、帽体１１の内面には、凸状係合部１６が形成されている。ハンモック１３は、凸状係合部１６によって帽体１１に装着される。なお、凸状係合部１６によってヘッドバンド１４を帽体１１に装着することもできる。
保持部材３０には、一対の係合用開口３２が形成されている。一対の係合用開口３２は、バンド用開口３１を挟んで形成されている。それぞれの係合用開口３２は、帽体１１の端部外周に沿う方向の長孔で形成されている。
係合用開口３２を長孔で形成することで、凸状係合部１６の位置の異なるヘルメット１０にも対応できる。
係合用開口３２には、凸状係合部１６が係合される。凸状係合部１６に係合用開口３２を係合することで、保持部材３０を帽体１１の後頭部側内面に装着することができる。保持部材３０を帽体１１に対して脱着できるため、ゴーグル２０使用時に保持部材３０を用いてゴーグル２０を装着することができる。
ここで、図２（ａ）と図１１とを比較して、ゴーグル用バンド２２が装着者の顔面に密着することによるゴーグル使用時のフィット感の相違について説明する。
図２（ａ）では、ゴーグル用バンド２２を帽体１１の後頭部側内面に設けた一対の保持部材３０によって装着しているため、保持部材３０からめがね部２１に至るゴーグル用バンド２２は、帽体１１の内側にあるために、装着者の顔面に沿って密着する。
これに対して、図１１では、ゴーグルバンド１２２は、帽体１１１の外面に沿わせるため、めがね部１２１を顔面に押し付けるだけで、装着者の顔面に沿うことはない。
このように本実施例によれば、保持部材３０からめがね部２１に至るゴーグル用バンド２２が装着者の顔面に沿って密着するため、ゴーグル使用時のフィット感が高い。また、めがね部２１と保持部材３０との間を長くできることで、ゴーグル用バンド２２の自由度が高く、ヘルメット１０を装着した状態でのゴーグル２０の脱着も容易に行うことができる。
【００２２】
図３は本発明の第２の実施例による保持部材を示す斜視図、図４は同保持部材にゴーグル用バンドを取り付けて帽体に装着した状態を示す斜視図である。なお、ヘルメットの構成については第１の実施例と同一であるので説明を省略する。また、同一機能部材については同一符号を付して説明を省略する。
本実施例による保持部材３０には、あご紐用開口３３が形成されている。あご紐用開口３３に、あご紐１５の端部を装着することで、あご紐１５を帽体１１の後頭部側内面に装着することができる。本実施例によれば、保持部材３０をあご紐１５の装着に用いることができる。
【００２３】
図５は本発明の第３の実施例による保持部材を示す斜視図である。なお、ヘルメットの構成については第１の実施例と同一であるので説明を省略する。また、同一機能部材については同一符号を付して説明を省略する。
本実施例による保持部材３０は、バンド用開口３１を、２本の平行なスリット３１ｃで形成している。それぞれのスリット３１ｃの両端には、小孔３１ｄを形成している。
バンド用開口３１をスリット３１ｃで形成することで、ゴーグル用バンド２２の保持力を高めることができる。また、スリット３１ｃの両端に小孔３１ｄを形成することで、スリット３１ｃの変形量を大きくでき、ゴーグル用バンド２２を装着しやすい。
【００２４】
図６は本発明の第４の実施例による保持部材を示す斜視図、図７は同保持部材にゴーグル用バンドを取り付けて帽体に装着した状態を示す斜視図である。なお、ヘルメットの構成については第１の実施例と同一であるので説明を省略する。また、同一機能部材については同一符号を付して説明を省略する。
本実施例による保持部材３０は、第１のバンド用開口３１ａの一端と、第２のバンド用開口３１ｂの一端とを連接孔３１ｅでつないでいる。また、第１のバンド用開口３１ａの他端には、第２のバンド用開口３１ｂの他端に向けて短孔３１ｆが、第２のバンド用開口３１ｂの他端には、第１のバンド用開口３１ａの他端に向けて短孔３１ｇが形成されている。また、第１のバンド用開口３１ａと、第２のバンド用開口３１ｂとの間には、第１のバンド用開口３１ａ及び第２のバンド用開口３１ｂに平行に長孔３１ｈを形成している。
本実施例によれば、ゴーグル用バンド２２の装着を容易に行うことができる。
また、本実施例では、保持部材３０に舌部３４を形成している。舌部３４は、折り畳むことができ、折り畳んだ状態では、連接孔３１ｅに重なる。
本実施例によれば、舌部３４を設けることで、ゴーグル用バンド２２の保持部材３０からの離脱を防止することができる。
【００２５】
図８は本発明の第５の実施例による保持部材を示す斜視図である。なお、ヘルメットの構成については第１の実施例と同一であるので説明を省略する。また、同一機能部材については同一符号を付して説明を省略する。
本実施例による保持部材３０は、帽体１１の内面に、保持部材３０を形成したものである。一対の保持部材３０は、帽体１１の後頭部側内面に帽体１１と一体で成形される。
それぞれの保持部材３０は、第１の保持部材３０ａと第２の保持部材３０ｂとで構成し、第１の保持部材３０ａに第１のバンド用開口３５ａを形成し、第２の保持部材３０ｂに第２のバンド用開口３５ｂを形成している。
第１の保持部材３０ａと第２の保持部材３０ｂとは、それぞれ帽体１１の内面から立ち上がる垂直部材３０ｐと、垂直部材３０ｐに連接して帽体１１の内面に平行な水平部材３０ｈとから構成される。
第１のバンド用開口３５ａ及び第２のバンド用開口３５ｂは、垂直部材３０ｐと水平部材３０ｈに跨って形成している。
本実施例によれば、帽体１１へのゴーグル用バンド２２の装着性を高めることができる。
【００２６】
図９は本発明の第６の実施例による保持部材を示す斜視図である。なお、ヘルメットの構成については第１の実施例と同一であるので説明を省略する。また、同一機能部材については同一符号を付して説明を省略する。
本実施例による保持部材３０は、第１の保持部材３０ａに第１のバンド用開口３６ａを形成し、第２の保持部材３０ｂに第２のバンド用開口３６ｂを形成している。
第１のバンド用開口３６ａ及び第２のバンド用開口３６ｂは、水平部材３０ｈに形成している。
本実施例によれば、帽体１１へのゴーグル用バンド２２の装着性を高めることができる。
【００２７】
図１０は本発明の第７の実施例による保持部材を示す斜視図である。なお、ヘルメットの構成については第１の実施例と同一であるので説明を省略する。また、同一機能部材については同一符号を付して説明を省略する。
本実施例による保持部材３０は、第１のバンド用開口３６ａの端部に、第１の保持部材３０ａの端部に繋がる第１のスリット３７ａを形成し、第２のバンド用開口３６ｂの端部に、第２の保持部材３０ｂの端部に繋がる第２のスリット３７ｂを形成している。
本実施例によれば、帽体１１へのゴーグル用バンド２２の装着性を高めることができる。
【産業上の利用可能性】
【００２８】
本発明のヘルメットは、建築作業や土木作業などの工事現場における頭部保護用のヘルメット、オートバイなどの車両用のヘルメット、火災や地震などの震災時における頭部防護用のヘルメットに利用することができる。
【符号の説明】
【００２９】
１０  ヘルメット
１１  帽体
１２  内装
１３  ハンモック
１４  ヘッドバンド
１５  あご紐
１６  凸状係合部
２０  ゴーグル
２１  めがね部
２２  ゴーグル用バンド
３０  保持部材
３１  バンド用開口
【図１】
2014221947.tif 000003
【図２】
2014221947.tif 000004
【図３】
2014221947.tif 000005
【図４】
2014221947.tif 000006
【図５】
2014221947.tif 000007
【図６】
2014221947.tif 000008
【図７】
2014221947.tif 000009
【図８】
2014221947.tif 000010
【図９】
2014221947.tif 000011
【図１０】
2014221947.tif 000012
【図１１】
2014221947.tif 000013